(57)【要約】      （修正有）【課題】係合部が受ける圧力が、蓋体に加えられる力より、非常に小さいランドグリッドアレイ電気コネクタの提供。【解決手段】第２軸４０が第１蓋体１２の第１貫通溝１２６を貫通して外部向きに突出して第２蓋体１４の係合孔１４００に嵌め込まれることによって、第２蓋体は、第１蓋体に固着され、第２連接レバー５０が係合部材１４１の連接溝１４１４を貫通して外部向きに突出して第２蓋体の第２貫通孔１４４０に嵌め込まれることによって、係合部材は、第２蓋体に固着される。第２蓋体が、第２軸を回転軸として上方向きに回転して開いた位置に回転される時、舌片１４６は、係合部材１４１に当接する。第２蓋体が、第２軸を囲んで下方向きに回転して、第１蓋体に対して水平となる閉じた位置に回転される時、係合部材の係合鉤１４１６は、絶縁本体の凹槽１０６に係合される。これにより、係合部材が絶縁本体に固着される。【選択図】図５
0003118252.tif 000002
【実用新案登録請求の範囲】
【請求項１】
ＣＰＵを保持して回路基板に電気接続する電気コネクタにおいて、該電気コネクタは、
第１係合部が設けられる絶縁本体と、
絶縁本体に収納される複数の導電端子と、
絶縁本体の一端に取り付けられる第１蓋体と、
該第１蓋体に取り付けられ、前記第１係合部と係合して、一端に設けられる係合部材と、絶縁本体に係合されて、前記一端に対向する他端に設置される第２係合部と、を有する第２蓋体と、
を備え、前記第１蓋体が第２蓋体を連接する連接点は、第２係合部と係合部材の間に位置し、且つ第２係合部に近付いており、電気コネクタが閉じた状態になる時、前記第２係合部と係合部材は、絶縁本体に係合されることを特徴とする電気コネクタ。
【請求項２】
前記係合部材は、第２蓋体に固着されることを特徴とする、請求項１に記載の電気コネクタ。
【請求項３】
前記第２蓋体は、係合部材に対応する開口が形成され、該開口の両端には、一対の連接塊が下向きに延在し、係合部材が、一対の連接塊の間に位置することを特徴とする、請求項２に記載の電気コネクタ。
【請求項４】
前記係合部材は、押圧部と、押圧部を連接し、前記一対の連接塊を連接する連接部と、該連接部から下向きに延在し、絶縁本体の第１係合部に係合される第３係合部と、を備えることを特徴とする、請求項３に記載の電気コネクタ。
【請求項５】
前記係合部材の第３係合部は、係合鉤であり、絶縁本体の第１係合部は、凹槽であることを特徴とする、請求項４に記載の電気コネクタ。
【請求項６】
前記絶縁本体の中央には、係合部材に当接可能な舌片が、開口向きに延在することを特徴とする、請求項４に記載の電気コネクタ。
【請求項７】
前記第２蓋体の第２係合部は、第２蓋体の両側辺から下向きに延在して後方向きに折れ曲がる鉤状部であることを特徴とする、請求項１乃至請求項６のいずれかに記載の電気コネクタ。
【請求項８】
前記絶縁本体には、第１連接レバーを収納する通孔が形成され、第１連接レバーは、両端が通孔から外部向きに突出し、第２蓋体の第２係合部と係合することを特徴とする、請求項７に記載の電気コネクタ。
【考案の詳細な説明】
【技術分野】
【０００１】
本考案は電気コネクタに関し、ＣＰＵを電気接続するランドグリッドアレイ電気コネクタに関する。
【背景技術】
【０００２】
図１及び図２において、一種のランドグリッドアレイ電気コネクタ１’は、収納槽が形成される絶縁本体１０’と、絶縁本体１０’の後端に取り付けられる蓋体１１’と、該絶縁本体１０’に収納される複数の導電端子と、絶縁本体１０’の前端に設けられる舌片１０４１’と、を備える。蓋体１１’は、舌片１０４１’に係合する鉤状部１１２２’が設けられる係合部１１２’を有する。ＣＰＵは、該電気コネクタ１’によって、回路基板に電気接続される。
【０００３】
使用される時、電気コネクタの導電端子が回路基板に半田付けされる。蓋体１１’が開いた後、ＣＰＵは絶縁本体１０’の収納槽に収納される。開いた蓋体１１’を閉じると、鉤状部１１２２’は、舌片１０４１’と係合される。蓋体１１’は、絶縁本体１０’に収納される端子を接触して押圧する。端子は、弾性変形を達成する。該装置が欠陥を具備するかしないかを、高い温度によって検出できる。該装置を検出した後、係合部１１２’を下向きに押圧したならば、鉤状部１１２２’は、舌片１０４１’から外れる。蓋体１１’は、元の状態に回復できる。
【０００４】
電気コネクタ１’を閉じた時、蓋体１１’がＣＰＵに接触することによって、弾性変形した端子が、蓋体１１’に押圧力を提供する。通常、端子の数量が多いならば、該押圧力は、大きくなる。そのため、係合部１１２’は、大きい押圧力を受けることができないことによって、損傷し易く、更に鉤状部１１２２’が、絶縁本体１０’から外れる可能がある。結局、蓋体と端子の間の良好な電気接続を確保できない。
【０００５】
図３及び図４に示すように、原理を分析する。蓋体１１’が絶縁本体１０’を連接する位置を、点Ａ’と定義する。係合部１１２’が絶縁本体１０’を連接する位置を、点Ｂ’と定義する。該点Ａ’と点Ｂ’の間の水平距離を、Ｌ１’と定義する。絶縁本体１０’が蓋体１１’に加える圧力を、Ｆ１’と定義する。絶縁本体１０’が係合部１１２’に加える圧力を、Ｆ２’と定義する。ＣＰＵが、蓋体１１’に加える圧力を、Ｆ３’と定義する。蓋体１１’に対するＹ軸に沿った作用力は、平衡する（Ｆ３’＝Ｆ１’＋Ｆ２’）。点Ｂ’を囲んで回転する回転モーメントは、平衡する（Ｆ２’×Ｌ１’＝Ｆ３’×Ｌ１’／２）。これにより、Ｆ２’＝Ｆ３’／２となる。そのため、係合部１１２’が受ける圧力Ｆ２’は、ＣＰＵが蓋体１１’に加える圧力Ｆ３’の二分の一である。これにより、端子の数量が増加したならば、ＣＰＵが蓋体１１’に加える圧力Ｆ３’が大きくなるため、係合部１１２’は、受ける圧力が大きくなり、破損し易くて絶縁本体１０’から外れる可能性がある。
【０００６】
従って、本考案は前記の欠点を克服するために一種の新たな電気コネクタを設計する。
【考案の開示】
【考案が解決しようとする課題】
【０００７】
本考案の目的は、こうした従来の問題点を解決した電気コネクタを提供することである。すなわち、従来の技術とは異なり、係合部が破損される或いは絶縁本体から外れることを回避でき、回路基板に電気接続されることを確保できるランドグリッドアレイ電気コネクタが得られるようにする。
【課題を解決するための手段】
【０００８】
本考案はＣＰＵを保持して回路基板に電気接続する電気コネクタに関し、該電気コネクタは、第１係合部が設けられる絶縁本体と、絶縁本体に収納される複数の導電端子と、絶縁本体の一端に取り付けられる第１蓋体と、該第１蓋体に取り付けられ、前記第１係合部と係合して、一端に設けられる係合部材と、絶縁本体に係合されて、前記一端に対向する他端に設置される第２係合部と、を有する第２蓋体と、を備える。前記第１蓋体が第２蓋体を連接する連接点は、第２係合部と係合部材の間に位置し、且つ第２係合部に近付いている。電気コネクタが閉じた状態になる時、前記第２係合部と係合部材は、絶縁本体に係合される。
【考案の効果】
【０００９】
従来の技術に比べると、本考案は以下の長所がある。本考案の電気コネクタは、係合部が受ける圧力が、ＣＰＵが蓋体に加える力より、非常に小さい。これにより、係合部が破損される或いは絶縁本体から外れることを防止できる。そのため、回路基板に電気接続されることを確保できる。
【考案を実施するための最良の形態】
【００１０】
図５乃至図９に示すように、ランドグリッドアレイ電気コネクタ１は、ＣＰＵ（図示せず）を、検出板のような回路基板（図示せず）に電気接続する。該電気コネクタ１は、絶縁本体１０と、該絶縁本体１０に収納される複数の導電端子（図示せず）と、絶縁本体１０の一端に取り付けられる第１蓋体１２と、該第１蓋体１２に取り付けられる第２蓋体１４と、第１連接レバー２０と、第１軸３０と、第２軸４０と、第２連接レバー５０と、を備える。
【００１１】
実質的に矩形の絶縁本体１０には、ＣＰＵを保持する保持板（標号示せず）が設けられる収納槽１０１が形成される。絶縁本体１０には、内表面と外表面を貫通する収納孔１０２０が形成される一対の実装塊１０２が前端に対称に設置される。絶縁本体１０には、突出部１０４が、一対の実装塊１０２の間に設けられる。該突出部１０４の底部には、第１係合部が設けられる。本実施例において、該第１係合部は、凹槽１０６である。絶縁本体１０には、該絶縁本体１０を縦方向に沿って貫通する通孔１００が、実装塊１０２が設けられる一端に対向する他端に形成される。
【００１２】
実質的に矩形の第１蓋体１２には、前記一対の実装部１０２に対応する突出耳１２２が、前方向きに突出する。各突出耳１２２には、該突出耳１２２を通り越す第１貫通孔１２２０が形成される。第１蓋体１２には、該第１蓋体１２を縦方向に沿って貫通する貫通溝１２６が、突出耳１２２が設けられる一端に対向する他端に形成される。
【００１３】
第２蓋体１４は、框体１４０と、係合部材１４１と、を備える。框体１４０には、前端１４０１と、後端１４０３と、前端１４０１と後端１４０３を連接する両側辺１４０５と、を備える。第２蓋体１４の前端１４０１には、係合部材１４１に対応する開口１４２が形成される。該開口１４２の両端には、第２貫通孔１４４０が形成される一対の連接塊１４４が、下向きに延在する。前端１４０１の中央には、舌片１４６が、開口１４２向きに延在する。両側辺１４０５の後端には、係合孔１４００が形成される。框体１４０の後端には、第２係合部が下向きに延在する。本実施例において、該第２係合部は、両側辺１４０５の後端から下向きに延在して後方向きに折れ曲がる鉤状部１４８である。
【００１４】
係合部材１４１は、押圧部１４１０と、押圧部１４１０を連接する連接部１４１２と、該連接部１４１２から下向きに延在する第３係合部と、縦方向に沿って連接部１４１２を貫通する連接孔１４１４と、を備える。本実施例において、第３係合部は、所定の距離で隔てられる一対の係合鉤１４１６である。
【００１５】
該電気コネクタ１を取り付ける時、先ず、第１連接レバー２０は、絶縁本体１０の通孔１００に収容され、両端が、通孔１００から外部向きに突出する。第１蓋体１２は、第１軸３０によって、導電端子が収容される絶縁本体１０に取り付けられる。第１蓋体１２の一対の突出耳１２２は、絶縁本体１０の一対の実装塊１０２の間に位置する。第１軸３０が、順番に突出耳１２２の第１貫通孔１２２０と実装塊１０２の収納孔１０２０を通り越す。第２軸４０が第１蓋体１２の第１貫通溝１２６を貫通して外部向きに突出して第２蓋体１４の係合孔１４００に嵌め込まれることによって、第２蓋体１４は、第１蓋体１２に固着される。次に、第２連接レバー５０が係合部材１４１の連接溝１４１４を貫通して外部向きに突出して第２蓋体１４の第２貫通孔１４４０に嵌め込まれることによって、係合部材１４１は、第２蓋体１４に固着される。
【００１６】
第２蓋体１４が、第２軸４０を回転軸として上方向きに回転して開いた位置に回転される時、舌片１４６は、係合部材１４１に当接する。第２蓋体１４が、第２軸４０を囲んで下方向きに回転して、第１蓋体１２に対して水平となる閉じた位置に回転される時、係合部材１４１の係合鉤１４１６は、絶縁本体１０の凹槽１０６に係合される。これにより、係合部材１４１が絶縁本体１０に固着される。そのため、該電気コネクタ１は、閉じた状態になる。
【００１７】
ランドグリッドアレイ電気コネクタ１は、使用される過程で、導電端子を回路基板に半田付けする。第１蓋体１２と第２蓋体１４を開くと、電気コネクタ１は開いた状態になる。ＣＰＵを絶縁本体１０の収納槽１０１に収納する。第１蓋体１２と第２蓋体１４を、水平な位置に回転させる。第１蓋体１２と第２蓋体１４を閉じる。第２蓋体１４は、第１蓋体１２を覆って、第２蓋体１４の鉤状部１４８が、絶縁本体１０の通孔１００から外部向きに突出する第１連接レバー２０の両端に引っ掛けられる。係合部材１４の係合鉤１４１６は、絶縁本体１０の凹槽１０６に係合される。これにより、第２蓋体１４は、絶縁本体１０に係合される。ＣＰＵは、電気コネクタ１によって、検出板に電気接続されて、高い温度によって検出される。
【００１８】
検出された後、係合部材１４１の押圧部１４１０を押圧すると、係合鉤１４１６が外部向きに回転して凹槽１０６から外れる。次に、第２蓋体１４を上向きに回転する。第２蓋体１４の鉤状部１４８は、上向きに回転して第１連接レバー２０から離れる。舌片１４６は、係合部材１４１に当接する。第１、第２蓋体１２、１４を開いた状態に回復する時、ＣＰＵを取り出す。
【００１９】
図８及び図９に示すように、電気コネクタ１を閉じた時、第１蓋体１２は、絶縁本体１０に収納されるＣＰＵに当接して接触するとともに、ＣＰＵが当接される過程で産生する弾力を受ける。第１蓋体１２は、第２蓋体１４を覆う。第２蓋体１４は、鉤状部１４８と係合鉤１４１６がそれぞれ第１連接レバー２０と凹槽１０６に係合されることによって、絶縁本体１０に固着される。第１蓋体１２が第２蓋体１４を連接する連接点は、鉤状部１４８と係合鉤１４１６が絶縁本体１０を接触する接触点の間に位置し、且つ、鉤状部１４８に近付いている。又、係合部材１４１が受ける力は、非常に小さいため、該電気コネクタ１に対して、第１蓋体１２が絶縁本体１０を連接する連接点と、第２蓋体１４が絶縁本体１０を連接する連接点は、力を受ける点である。
【００２０】
図１０及び図１１に示すように、第１蓋体１２と第２蓋体１４に加えられる圧力を分析する。第１蓋体１２が絶縁本体１０を連接する位置を、連接点Ａと定義する。第１蓋体１２が第２蓋体１４を連接する位置を、連接点Ｂと定義する。該連接点ＡとＢの間の水平距離を、Ｌ１と定義する。第２蓋体１４が絶縁本体１０を連接する位置を、連接点Ｃと定義する。係合部材１４１が絶縁本体１０を連接する位置を、連接点Ｄと定義する。該連接点ＣとＤの間の水平距離を、Ｌ２と定義する。ＣＰＵが第１蓋体１２に加える圧力を、Ｆ４と定義する。連接点Ａが受ける力を、Ｆ１と定義する。連接点Ｂが受ける力を、Ｆ２と定義する。連接点Ｃが受ける力を、Ｆ３と定義する。連接点Ｄが受ける力を、Ｆ５と定義する。
【００２１】
第１蓋体１２に対するＹ軸に沿った作用力は平衡する（Ｆ４＝Ｆ１＋Ｆ２）。連接点Ａを囲んで回転する回転モーメントは、平衡する（Ｆ２×Ｌ１＝Ｆ４×Ｌ１／２）。第２蓋体１４に対するＹ軸に沿った作用力は平衡する（Ｆ２＝Ｆ３＋Ｆ５）。連接点Ｄを囲んで回転する回転モーメントは、平衡する（Ｆ３×Ｌ２＝Ｆ２×Ｌ１）。これにより、Ｆ５＝Ｆ４×（Ｌ２−Ｌ１）／（２×Ｌ２）となる。“（Ｌ２−Ｌ１）”によって得られる数値は、非常に小さいため、“（Ｌ２−Ｌ１）／（２×Ｌ２）＜＜１”となる。そのため、“Ｆ５＜＜Ｆ４／２”となる。連接点Ｄが受ける力Ｆ５は、ＣＰＵが第１蓋体１２に加える圧力Ｆ４より、非常に小さくなる。従来技術では、Ｆ２’＝Ｆ３’／２である。係合部１１２’が受ける圧力Ｆ２’は、ＣＰＵが蓋体１１’に加える圧力Ｆ３’の二分の一である。これにより、本実施例に示される係合部材が受ける圧力は、十分に小さくなる。結局、端子の数量が増加しても、係合部材１４１は、受ける力が小さくなるため、保護される。係合部材１４１は、破損される或いは絶縁本体１０’から外れることを回避できる。該電気コネクタ１が回路基板に良好な電気接続されることを、確保できる。
【００２２】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【産業上の利用可能性】
【００２３】
本考案は電気コネクタ組立体に関し、特に、係合部が破損される或いは絶縁本体から外れることを回避でき、回路基板に電気接続されることを確保できるランドグリッドアレイ電気コネクタ組立体に関する。
【図面の簡単な説明】
【００２４】
【図１】従来技術の電気コネクタが開いた状態の斜視図である。
【図２】従来技術の電気コネクタが閉じた状態の斜視図である。
【図３】従来技術の電気コネクタが閉じた状態である時の原理を分析する図である。
【図４】従来技術の電気コネクタが閉じた状態である時、受ける力を分析する図である。
【図５】本考案の電気コネクタの分解斜視図である。
【図６】本考案の電気コネクタが部分的に開いた状態の斜視図である。
【図７】本考案の電気コネクタが閉じた状態の斜視図である。
【図８】本考案の電気コネクタが閉じた状態の他の斜視図である。
【図９】本考案の電気コネクタが閉じた状態の側視図である。
【図１０】本考案の電気コネクタが閉じた状態である時の原理を分析する図である。
【図１１】本考案の電気コネクタが閉じた状態である時、受ける力を分析する図である。
【符号の説明】
【００２５】
１  電気コネクタ
１０  絶縁本体
１２  第１ハウジング
１４  第２ハウジング
２０  第１連接レバー
３０  第１軸
４０  第２軸
５０  第２連接レバー
１００  通孔
１０２  実装塊
１０６  凹槽
１２０  側壁
１２２  突出耳
１２６  貫通溝
１４０  框体
１４１  係合部
１４２  開口
１４４  連接塊
１４６  舌片
１４８  鉤状部
１０２０  収納孔
１２２０  第１貫通孔
１４００  係合孔
１４０１  前端
１４０３  後端
１４０５  側辺
１４１０  押圧部
１４１２  連接部
１４１４  連接孔
１４１６  係合鉤
１４４０  第２貫通孔
【図１】
0003118252.tif 000003
【図２】
0003118252.tif 000004
【図３】
0003118252.tif 000005
【図４】
0003118252.tif 000006
【図５】
0003118252.tif 000007
【図６】
0003118252.tif 000008
【図７】
0003118252.tif 000009
【図８】
0003118252.tif 000010
【図９】
0003118252.tif 000011
【図１０】
0003118252.tif 000012
【図１１】
0003118252.tif 000013